(57)【要約】  車載カメラ用レンズ装置は、物体側から像面側へ順に配列される、負の屈折力を有し、物体側面が凸面であり、像面側面が凹面である第１レンズと、負の屈折力を有し、物体側面が凹面であり、像面側面が凸面である第２レンズと、正の屈折力を有し、物体側面と像面側面との両面が凸面である第３レンズと、絞りと、正の屈折力を有し、物体側面と像面側面との両面が凸面である第４レンズと、負の屈折力を有し、物体側面が凹面であり、前記第４レンズとともに接合レンズを構成する第５レンズと、正の屈折力を有し、物体側面が凸面である第６レンズと、光学フィルタと、を含み、第２レンズ、第３レンズ、第４レンズ、及び第５レンズは、いずれも球面ガラスレンズであり、第１レンズ及び前記第６レンズは、非球面ガラスレンズである。本発明によれば、狭い視野角範囲におけるレンズ装置の歪曲収差を大幅に増大することで、車載システムの特殊なアルゴリズム要求を満たすことができる。また、レンズ装置全体の解像感が向上するとともに、レンズの口径と長さが効果的に制御される。【選択図】図１
2021516793.tif 000002
【特許請求の範囲】
【請求項１】
車載カメラ用レンズ装置であって、
物体側から像面側へ順に配列される、
負の屈折力を有し、物体側面が凸面であり、像面側面が凹面である第１レンズと、
負の屈折力を有し、物体側面が凹面であり、像面側面が凸面である第２レンズと、
正の屈折力を有し、物体側面と像面側面との両面が凸面である第３レンズと、
絞りと、
正の屈折力を有し、物体側面と像面側面との両面が凸面である第４レンズと、
負の屈折力を有し、物体側面が凹面であり、前記第４レンズとともに接合レンズを構成する第５レンズと、
正の屈折力を有し、物体側面が凸面である第６レンズと、
光学フィルタと、を含み、
前記第２レンズ、前記第３レンズ、前記第４レンズ、及び前記第５レンズは、いずれも球面ガラスレンズであり、
前記第１レンズ及び前記第６レンズは、非球面ガラスレンズである
ことを特徴とする車載カメラ用レンズ装置。
【請求項２】
請求項１に記載の車載カメラ用レンズ装置であって、
下式を満たし、
Ｄ1／（ＹIH×ｆ）＜０．２５
ただし、Ｄ1は、前記第１レンズの最大有効口径を示し、ＹIHは、前記車載カメラ用レンズ装置の最大像半径を示し、ｆは、前記車載カメラ用レンズ装置の焦点距離を示す
ことを特徴とする車載カメラ用レンズ装置。
【請求項３】
請求項１に記載の車載カメラ用レンズ装置であって、
下式を満たし、
Ｒ1／ｆ＜１
−３＜ｆ1／ｆ＜−１
（Ｙ12−Ｙref12）／Ｙref12＜−４．５％
ただし、Ｒ1は、前記第１レンズの物体側面中心の曲率半径を示し、ｆ1は、前記第１レンズの焦点距離を示し、ｆは、前記車載カメラ用レンズ装置の焦点距離を示し、Ｙ12は、視野角が１２°である場合における前記車載カメラ用レンズ装置の実際像高を示し、Ｙref12は、視野角が１２°である場合における前記車載カメラ用レンズ装置の理想近軸像高を示す
ことを特徴とする車載カメラ用レンズ装置。
【請求項４】
請求項１に記載の車載カメラ用レンズ装置であって、
下式を満たし、
ＴＴＬ／ｆ＜４．５
ただし、ＴＴＬは、前記車載カメラ用レンズ装置の光学全長を示し、ｆは、前記車載カメラ用レンズ装置の焦点距離を示す
ことを特徴とする車載カメラ用レンズ装置。
【請求項５】
請求項１に記載の車載カメラ用レンズ装置であって、
下式を満たし、
−１．５＜Ｒ21／ｆ＜−０．８
Ｒ41／ｆ＜１．８
ｆ／Ｒ52＜０．２
ただし、Ｒ21は、前記第２レンズの物体側面の曲率半径を示し、Ｒ41は、前記第４レンズの物体側面の曲率半径を示し、Ｒ52は、前記第５レンズの像面側面の曲率半径を示し、ｆは、前記車載カメラ用レンズ装置の焦点距離を示す
ことを特徴とする車載カメラ用レンズ装置。
【請求項６】
請求項１に記載の車載カメラ用レンズ装置であって、
下式を満たし、
Ｒ61／ｆ＞２
ｆ／ｆ6＜０．５
ただし、Ｒ61は、前記第６レンズの物体側面中心の曲率半径を示し、ｆは、前記車載カメラ用レンズ装置の焦点距離を示し、ｆ6は、前記第６レンズの焦点距離を示す
ことを特徴とする車載カメラ用レンズ装置。
【請求項７】
請求項１に記載の車載カメラ用レンズ装置であって、
下式を満たし、
ｆ3／ｆ＜２
ただし、ｆ3は、前記第３レンズの焦点距離を示し、ｆは、前記車載カメラ用レンズ装置の焦点距離を示す
ことを特徴とする車載カメラ用レンズ装置。
【請求項８】
請求項１に記載の車載カメラ用レンズ装置であって、
下式を満たし、
（ｄｎ／ｄｔ）４＜−５×１０-6／℃
ｆ4／ｆ＜１．５
ただし、（ｄｎ／ｄｔ）４は、前記第４レンズの屈折率温度係数を示し、ｆは、前記車載カメラ用レンズ装置の焦点距離を示し、ｆ4は、前記第４レンズの焦点距離を示す
ことを特徴とする車載カメラ用レンズ装置。
【請求項９】
請求項１に記載の車載カメラ用レンズ装置であって、
下式を満たし、
Ｎｄ1＞１．８
Ｖｄ4＞５５
Ｖｄ5＜２５
Ｖｄ6＞６０
ただし、Ｖｄ4、Ｖｄ5、及びＶｄ6は、それぞれ前記第４レンズ、前記第５レンズ、及び第６レンズのアッベ数を示し、Ｎｄ1は、前記第１レンズの材料の屈折率を示す
ことを特徴とする車載カメラ用レンズ装置。
【請求項１０】
請求項１に記載の車載カメラ用レンズ装置であって、
前記第１レンズ及び前記第６レンズのそれぞれの非球面形状は、以下の式（１）を満たし、
【数１】
2021516793.tif 000014
ただし、ｚは、光軸方向における曲面と曲面頂点との間の距離を示し、ｈは、光軸から曲面までの間の距離を示し、ｃは、曲面頂点の曲率を示し、Ｋは、二次曲面係数を示し、Ｂ、Ｃ、Ｄ、Ｅ、Ｆは、それぞれ四次、六次、八次、十次、十二次曲面係数を示す
ことを特徴とする車載カメラ用レンズ装置。
【発明の詳細な説明】
【技術分野】
【０００１】
本発明は、光学レンズ装置技術領域に関し、特に車載カメラ用レンズ装置に関する。
【背景技術】
【０００２】
先進運転支援システム（Ａｄｖａｎｃｅｄ  Ｄｒｉｖｅｒ  Ａｓｓｉｓｔａｎｔ  Ｓｙｓｔｅｍ，ＡＤＡＳと略称する）は、情報収集と情報処理によって、運転者に起こり得る危険への認識をアシストし、さらに積極的に介入するアクティブセーフティ技術である。技術的な観点からＡＤＡＳは、無人運転技術を蓄積するためのかけ橋であり、自動車会社が無人運転領域に切り込むための進む道である。様々なＡＤＡＳシステムでは、画像を基礎とする運転支援システムは、最も高い市場シェアを占めている。その主な理由は、コストが低く、ドライブレコーダと組み合わせて使用することができ、検知結果を映像、音声等で運転者に提示することができる。検知範囲は赤外線やレーダほど良くないが、幅広く人気がある。
【０００３】
車線逸脱警報システム（Ｌａｎｅ  Ｄｅｐａｒｔｕｒｅ  Ｗａｒｎｉｎｇ  Ｓｙｓｔｅｍ，ＬＤＷＳ）と前方衝突警報システム（Ｆｏｒｗａｒｄ  Ｃｏｌｌｉｓｉｏｎ  Ｗａｒｎｉｎｇ  Ｓｙｓｔｅｍ，ＦＣＷＳ）は、世界各国で重視されており、当該技術分野において競い合って開発されている最も重要な２つの画像式ＡＤＡＳ機能である。ＬＤＷＳの主な機能は、カメラレンズ装置を通じて車両前のシーンを撮影し、画像処理と計算により、車線検知の結果を生成することである。方向指示器がオンにされていない場合に車両が車線から逸脱し始めると、システムは、運転者が即座に反応して事故を回避できるように様々な警告信号を自動的に送信する。ＦＣＷＳの主な機能は、カメラレンズ装置を通じて車両前のシーンを撮影し、画像処理と計算により、前方の車両を検知し、２台の車両間の距離を推定することである。２台の車両が適切な走行距離を超えた場合、システムは自動的に運転者に警告する。
【０００４】
自動車用電子技術及び自動車用画像技術の進歩に伴い、画像処理のアルゴリズムは日々革新されている。例えば、ＡＤＡＳシステムのアルゴリズムにおいて、レンズに対して狭い視野角範囲で大きい歪曲収差が発生することが要求されている。しかしながら、従来のレンズは、ＡＤＡＳシステムにおけるこれらの特殊なアルゴリズム要求を満たすことができない。
【発明の概要】
【発明が解決しようとする課題】
【０００５】
そこで、本発明は、狭い視野角範囲で大きい歪曲収差が発生する車載カメラ用レンズ装置を提供することを目的とする。
【課題を解決するための手段】
【０００６】
本発明のある態様によれば、車載カメラ用レンズ装置は、物体側から像面側へ順に配列される、負の屈折力を有し、物体側面が凸面であり、像面側面が凹面である第１レンズと、負の屈折力を有し、物体側面が凹面であり、像面側面が凸面である第２レンズと、正の屈折力を有し、物体側面と像面側面との両面が凸面である第３レンズと、絞りと、正の屈折力を有し、物体側面と像面側面との両面が凸面である第４レンズと、負の屈折力を有し、物体側面が凹面であり、前記第４レンズとともに接合レンズを構成する第５レンズと、正の屈折力を有し、物体側面が凸面である第６レンズと、光学フィルタと、を含み、前記第２レンズ、前記第３レンズ、前記第４レンズ、及び前記第５レンズは、いずれも球面ガラスレンズであり、前記第１レンズ及び前記第６レンズは、非球面ガラスレンズである。
【０００７】
本発明により提供される車載カメラ用レンズ装置は、ガラス球面と非球面を組み合わせることにより、特殊な歪曲収差をレンズに提供することができる。従来の車載カメラ用レンズ装置に比べ、以下の利点を有する。狭い視野角範囲におけるレンズ装置の歪曲収差を大幅に増大することで、車載システムの特殊なアルゴリズム要求を満たすことができる。また、大口径が図られてレンズ装置全体の解像感が向上するとともに、レンズ装置全体の口径と長さが効果的に制御され、レンズ装置全体の小口径とレンズ系の大口径が実現される。さらに、ガラスレンズ材料の合理的な組み合わせことにより、大きな温度差環境でフォーカスシフト及び解像度が大幅に低下する問題を克服し、車載カメラ用レンズ装置が大きな温度差環境でも優れた結像品質を有することを保証することができ、実際のアプリケーションニーズを満たすことができる。
【０００８】
また、前記車載カメラ用レンズ装置は、下式を満たし、
Ｄ1／（ＹIH×ｆ）＜０．２５
ただし、Ｄ1は、前記第１レンズの最大有効口径を示し、ＹIHは、前記車載カメラ用レンズ装置の最大像半径を示し、ｆは、前記車載カメラ用レンズ装置の焦点距離を示す。上式を満すことにより、焦点距離が一定である条件で、レンズ装置全体の小口径とレンズ系の大口径を実現することができる。
【０００９】
また、前記車載カメラ用レンズ装置は、下式を満たし、
Ｒ1／ｆ＜１
−３＜ｆ1／ｆ＜−１
（Ｙ12−Ｙref12）／Ｙref12＜−４．５％
ただし、Ｒ1は、前記第１レンズの物体側面中心の曲率半径を示し、ｆ1は、前記第１レンズの焦点距離を示し、ｆは、前記車載カメラ用レンズ装置の焦点距離を示し、Ｙ12は、視野角が１２°である場合における前記車載カメラ用レンズ装置の実際像高を示し、Ｙref12は、視野角が１２°である場合における前記車載カメラ用レンズ装置の理想近軸像高を示す。上式を満すことにより、車載カメラ用レンズ装置の狭い視野角範囲における歪曲収差を大幅に増大することで、車両画像システムのアルゴリズム要求を満たすことができる。
【００１０】
また、前記車載カメラ用レンズ装置は、下式を満たし、
ＴＴＬ／ｆ＜４．５
ただし、ＴＴＬは、前記車載カメラ用レンズ装置の光学全長を示し、ｆは、前記車載カメラ用レンズ装置の焦点距離を示す。上式を満すことにより、焦点距離が一定である条件で、レンズ装置の長さが有効に制限される。
【００１１】
また、前記車載カメラ用レンズ装置は、下式を満たし、
−１．５＜Ｒ21／ｆ＜−０．８
Ｒ41／ｆ＜１．８
ｆ／Ｒ52＜０．２
ただし、Ｒ21は、前記第２レンズの物体側面の曲率半径を示し、Ｒ41は、前記第４レンズの物体側面の曲率半径を示し、Ｒ52は、前記第５レンズの像面側面の曲率半径を示し、ｆは、前記車載カメラ用レンズ装置の焦点距離を示す。上式を満すことにより、レンズ装置のゴースト現象が改善され、ゴーストがイメージセンサーチップ（ＣＭＯＳ）において焦点を合わせるエネルギーを低減することができる。
【００１２】
また、前記車載カメラ用レンズ装置は、下式を満たし、
Ｒ61／ｆ＞２
ｆ／ｆ6＜０．５
ただし、Ｒ61は、前記第６レンズの物体側面中心の曲率半径を示し、ｆは、前記車載カメラ用レンズ装置の焦点距離を示し、ｆ6は、前記第６レンズの焦点距離を示す。上式を満すことにより、第６レンズの表面で反射されて発生するゴーストがイメージセンサーチップ（ＣＭＯＳ）において焦点を合わせるエネルギーを低減することができる。
【００１３】
また、前記車載カメラ用レンズ装置は、下式を満たし、
ｆ3／ｆ＜２
ただし、ｆ3は、前記第３レンズの焦点距離を示し、ｆは、前記車載カメラ用レンズ装置の焦点距離を示す。上式を満すことにより、結像システムの全体の球面収差の減少に有利である。
【００１４】
また、前記車載カメラ用レンズ装置は、下式を満たし、
（ｄｎ／ｄｔ）４＜−５×１０-6／℃
ｆ4／ｆ＜１．５
ただし、（ｄｎ／ｄｔ）４は、前記第４レンズの屈折率温度係数を示し、ｆは、前記車載カメラ用レンズ装置の焦点距離を示し、ｆ4は、前記第４レンズの焦点距離を示す。上式を満すことにより、車載カメラ用レンズ装置が大きな温度差環境でも優れた結像品質を有することを保証することができる。
【００１５】
また、前記車載カメラ用レンズ装置は、下式を満たし、
Ｎｄ1＞１．８
Ｖｄ4＞５５
Ｖｄ5＜２５
Ｖｄ6＞６０
ただし、Ｖｄ4、Ｖｄ5、及びＶｄ6は、それぞれ前記第４レンズ、前記第５レンズ、及び第６レンズのアッベ数を示し、Ｎｄ1は、前記第１レンズの材料の屈折率を示す。上式を満すことにより、車載カメラ用レンズ装置の長さの制限に有利であり、レンズ装置の色収差の補正に有利である。
【００１６】
また、前記第１レンズ及び前記第６レンズのそれぞれの非球面形状は、以下の式（１）を満たし、
【数１】
2021516793.tif 000003
式中、ｚは、光軸方向における曲面と曲面頂点との間の距離を示し、ｈは、光軸と曲面との間の距離を示し、ｃは、曲面頂点の曲率を示し、Ｋは、二次曲面係数を示し、Ｂ、Ｃ、Ｄ、Ｅ、Ｆは、それぞれ四次、六次、八次、十次、十二次曲面係数を示す。
【００１７】
上述した条件を満たす車載カメラ用レンズ装置によれば、レンズ装置の外径と長さを小さく保つことができる。また、第１レンズが非球面ガラスレンズであるため、レンズ装置に特殊な歪曲収差を提供することができる。また、第６レンズが非球面ガラスレンズであるため、車載カメラ用レンズ装置の非点収差を有効に低減することができ、レンズ装置の解像度パフォーマンスが大きく向上する。さらに、本発明に係る車載カメラ用レンズ装置によれば、レンズの形を制御することにより、レンズ装置のゴースト現象が改善され、レンズ装置の結像品質が向上する。また、オールガラスレンズ材料を使用することにより、レンズ装置が大きな温度差環境でも優れた結像品質を有することを保証することができ、実際のアプリケーションニーズを満たすことができる。
【００１８】
本発明の利点は、以下の説明で部分的に示され、その一部は、以下の説明から明らかになるか、本発明の実施を通じて理解される。
【図面の簡単な説明】
【００１９】
本発明の上記及び／または追加の態様及び利点は、以下の図面を参照しながら実施形態の説明から明らかになり、理解しやすくなる。
【００２０】
【図１】本発明の第１実施例に係る車載カメラ用レンズ装置の断面構造模式図である。
【図２Ａ】本発明の第１実施例に係る車載カメラ用レンズ装置の像面湾曲図である。
【図２Ｂ】本発明の第１実施例に係る車載カメラ用レンズ装置の歪曲収差図である。
【図３】本発明の第２実施例に係る車載カメラ用レンズ装置の断面構造模式図である。
【図４Ａ】本発明の第２実施例に係る車載カメラ用レンズ装置の像面湾曲図である。
【図４Ｂ】本発明の第２実施例に係る車載カメラ用レンズ装置の歪曲収差図である。
【図５】本発明の第３実施例に係る車載カメラ用レンズ装置の断面構造模式図である。
【図６Ａ】本発明の第３実施例に係る車載カメラ用レンズ装置の像面湾曲図である。
【図６Ｂ】本発明の第３実施例に係る車載カメラ用レンズ装置の歪曲収差図である。
【図７】本発明の第４実施例に係る車載カメラ用レンズ装置の断面構造模式図である。
【図８Ａ】本発明の第４実施例に係る車載カメラ用レンズ装置の像面湾曲図である。
【図８Ｂ】本発明の第４実施例に係る車載カメラ用レンズ装置の歪曲収差図である。
【発明を実施するための形態】
【００２１】
以下、本発明の技術特徴及び利点をより理解しやすくするために、明細書の添付図面を参考しながら本発明の好適な実施形態を詳しく説明する。本発明は、種々の態様の実施例で実現可能であり、本明細書に記載の実施例に限定されるものではない。逆に、下記の実施例は、本発明の公開内容をより分かりやすくすることを目的とする。
【００２２】
以下、特に定義されない限り、本発明で使用されるすべての技術用語及び科学用語は、本発明に係る技術分野の当業者によって一般に理解されるのと同じ意味を有する。本発明の説明で使用される用語は、特定の実施形態を説明することのみを目的とし、本発明を限定することを意図するものではない。また、本発明で使用される「及び／または」という用語は、一つまたは複数の関連する列挙アイテムの任意及びすべての組み合わせを含む。
【００２３】
図１に示すように、本発明のある様態によれば、車載カメラ用レンズ装置は、物体側から像面側へ順に配列される、
負の屈折力を有し、物体側面Ｓ１が凸面であり、像面側面Ｓ２が凹面である第１レンズＬ１と、
負の屈折力を有し、物体側面Ｓ３が凹面であり、像面側面Ｓ４が凸面である第２レンズＬ２と、
正の屈折力を有し、物体側面Ｓ５と像面側面Ｓ６との両面が凸面である第３レンズＬ３と、
絞りＳ７と、
正の屈折力を有し、物体側面Ｓ８と像面側面Ｓ９との両面が凸面である第４レンズＬ４と、
負の屈折力を有し、物体側面Ｓ１０が凹面であり、像面側面Ｓ１１が凹面又は凸面であり、前記第４レンズＬ４とともに接合レンズを構成する第５レンズＬ５と、
正の屈折力を有し、物体側面Ｓ１２が凸面であり、像面側面Ｓ１３が凹面又は凸面である第６レンズＬ６と、
物体側面がＳ１４であり、像面側面がＳ１５である光学フィルタＧ１と、を含み、
前記第２レンズＬ２、前記第３レンズＬ３、前記第４レンズＬ４、及び前記第５レンズＬ５は、いずれも球面ガラスレンズであり、前記第１レンズＬ１及び前記第６レンズＬ６は、非球面ガラスレンズである。Ｇ２は、保護ガラスであり、その物体側面がＳ１６であり、像面側面がＳ１７であり、Ｓ１８は、像面である。
【００２４】
前記車載カメラ用レンズ装置は、ガラス球面と非球面を組み合わせることにより、特殊な歪曲収差をレンズに提供することができる。従来の車載カメラ用レンズ装置に比べ、以下の利点を有する。狭い視野角範囲におけるレンズ装置の歪曲収差を大幅に増大することで、車載システムの特殊なアルゴリズム要求を満たすことができる。また、大口径が図られてレンズ装置全体の解像感が向上するとともに、レンズ装置全体の口径と長さが効果的に制御され、レンズ装置全体の小口径とレンズ系の大口径が実現される。さらに、ガラスレンズ材料の合理的な組み合わせことにより、大きな温度差環境でフォーカスシフト及び解像度が大幅に低下する問題を克服し、車載カメラ用レンズ装置が大きな温度差環境でも優れた結像品質を有することを保証することができ、実際のアプリケーションニーズを満たすことができる。
【００２５】
本様態において、車載カメラ用レンズ装置は、下式を満たし、
Ｄ1／（ＹIH×ｆ）＜０．２５
ただし、Ｄ1は、前記第１レンズＬ１の最大有効口径を示し、ＹIHは、前記車載カメラ用レンズ装置の最大像半径を示し、ｆは、前記車載カメラ用レンズ装置の焦点距離を示す。
【００２６】
本様態において、車載カメラ用レンズ装置は、下式を満たし、
Ｒ1／ｆ＜１
−３＜ｆ1／ｆ＜−１
（Ｙ12−Ｙref12）／Ｙref12＜−４．５％
ただし、Ｒ1は、前記第１レンズＬ１の物体側面中心の曲率半径を示し、ｆ1は、前記第１レンズＬ１の焦点距離を示し、ｆは、前記車載カメラ用レンズ装置の焦点距離を示し、Ｙ12は、視野角が１２°である場合における前記車載カメラ用レンズ装置の実際像高を示し、Ｙref12は、視野角が１２°である場合における前記車載カメラ用レンズ装置の理想近軸像高を示す。
【００２７】
本様態において、車載カメラ用レンズ装置は、下式を満たし、
ＴＴＬ／ｆ＜４．５
ただし、ＴＴＬは、前記車載カメラ用レンズ装置の光学全長を示し、ｆは、前記車載カメラ用レンズ装置の焦点距離を示す。
【００２８】
本様態において、車載カメラ用レンズ装置は、下式を満たし、
−１．５＜Ｒ21／ｆ＜−０．８
Ｒ41／ｆ＜１．８
ｆ／Ｒ52＜０．２
ただし、Ｒ21は、前記第２レンズＬ２の物体側面の曲率半径を示し、Ｒ41は、前記第４レンズＬ４の物体側面の曲率半径を示し、Ｒ52は、前記第５レンズＬ５の像面側面の曲率半径を示す。
【００２９】
本様態において、車載カメラ用レンズ装置は、下式を満たし、
Ｒ61／ｆ＞２
ｆ／ｆ6＜０．５
ただし、Ｒ61は、前記第６レンズＬ６の物体側面中心の曲率半径を示し、ｆは、前記車載カメラ用レンズ装置の焦点距離を示し、ｆ6は、前記第６レンズＬ６の焦点距離を示す。
【００３０】
本様態において、車載カメラ用レンズ装置は、下式を満たし、
ｆ3／ｆ＜２
ただし、ｆ3は、前記第３レンズＬ３の焦点距離を示し、ｆは、前記車載カメラ用レンズ装置の焦点距離を示す。
【００３１】
本様態において、車載カメラ用レンズ装置は、下式を満たし、
（ｄｎ／ｄｔ）４＜−５×１０-6／℃
ｆ4／ｆ＜１．５
ただし、（ｄｎ／ｄｔ）４は、前記第４レンズＬ４の屈折率温度係数を示し、ｆは、前記車載カメラ用レンズ装置の焦点距離を示し、ｆ4は、前記第４レンズＬ４の焦点距離を示す。
【００３２】
本様態において、車載カメラ用レンズ装置は、下式を満たし、
Ｎｄ1＞１．８
Ｖｄ4＞５５
Ｖｄ5＜２５
Ｖｄ6＞６０
ただし、Ｖｄ4、Ｖｄ5、及びＶｄ6は、それぞれ第４レンズＬ４、第５レンズＬ５、及び第６レンズＬ６のアッベ数を示し、Ｎｄ1は、前記第１レンズＬ１の材料の屈折率を示す。
【００３３】
本様態において、第１レンズＬ１及び前記第６レンズＬ６のそれぞれの非球面形状は、以下の式（２）を満たし、
【数２】
2021516793.tif 000004
ただし、ｚは、光軸方向における曲面と曲面頂点との間の距離を示し、ｈは、光軸と曲面との間の距離を示し、ｃは、曲面頂点の曲率を示し、Ｋは、二次曲面係数を示し、Ｂ、Ｃ、Ｄ、Ｅ、Ｆは、それぞれ四次、六次、八次、十次、十二次曲面係数を示す。
【００３４】
上述した条件を満たす車載カメラ用レンズ装置によれば、レンズ装置の外径と長さを小さく保つことができる。また、第１レンズＬ１が非球面ガラスレンズであるため、レンズ装置に特殊な歪曲収差の方式を提供することができる。また、第６レンズＬ６が非球面ガラスレンズであるため、車載カメラ用レンズ装置の非点収差を有効に低減することができる、レンズ装置の解像度パフォーマンスが大きく向上する。さらに、本発明に係る車載カメラ用レンズ装置によれば、レンズの形を制御することにより、レンズ装置のゴースト現象が改善され、レンズ装置の結像品質が向上する。また、オールガラスレンズ材料を使用することにより、レンズ装置が大きな温度差環境でも長期使用安定性を有することを保証することができる。
【００３５】
以下、複数の実施例を用いて本発明をより詳細に説明する。以下の各実施例では、車載カメラ用レンズ装置の各レンズの厚さや曲率半径が異なり、詳細について各実施例のパラメータ表を参照する。下記の実施例は、本発明の好適例に過ぎず、本発明の実施形態は、これらの実施例に限定されるものではなく、他の改変、代替、組み合わせ又は簡略化を行ったものであっても、本発明の保護範囲に含まれる。
【００３６】
実施例１
本実施例に係る車載カメラ用レンズ装置の断面構造模式図は、図１に示され、本実施例に係る車載カメラ用レンズ装置の像面湾曲図、歪曲収差図は、図２Ａ、２Ｂに示される。本実施例に係る車載カメラ用レンズ装置における各レンズの関連パラメータは、表１−１に示される。
【００３７】
【表１−１】
2021516793.tif 000005
【００３８】
本実施例に係る第１レンズＬ１及び第６レンズＬ６の非球面のパラメータは表１−２に示される。
【００３９】
【表１−２】
2021516793.tif 000006
【００４０】
実施例２
本発明の第２実施例に係る車載カメラ用レンズ装置の断面構造模式図は、図３に示され、当該車載カメラ用レンズ装置の像面湾曲図、歪曲収差図は、図４Ａ、図４Ｂに示される。具体的には、当該車載カメラ用レンズ装置の関連パラメータは、表２−１に示される。  
【００４１】
【表２−１】
2021516793.tif 000007
【００４２】
本実施例に係る第１レンズＬ１及び第６レンズＬ６の非球面のパラメータは表２−２に示される。  
【００４３】
【表２−２】
2021516793.tif 000008
【００４４】
実施例３
本発明の第３実施例に係る車載カメラ用レンズ装置の断面構造模式図は、図５に示され、当該車載カメラ用レンズ装置の像面湾曲図、歪曲収差図は、図６Ａ、図６Ｂに示される。具体的には、当該車載カメラ用レンズ装置の関連パラメータは、表３−１に示される。
【００４５】
【表３−１】
2021516793.tif 000009
【００４６】
本実施例に係る第１レンズＬ１及び第６レンズＬ６の非球面のパラメータは表３−２に示される。
【００４７】
【表３−２】
2021516793.tif 000010
【００４８】
実施例４
本発明の第４実施例に係る車載カメラ用レンズ装置の断面構造模式図は、図７に示され、当該車載カメラ用レンズ装置の像面湾曲図、歪曲収差図は、図８Ａ、図８Ｂに示される。具体的には、当該車載カメラ用レンズ装置の関連パラメータは、表４−１に示される。
【００４９】
【表４−１】
2021516793.tif 000011
【００５０】
本実施例に係る第１レンズＬ１及び第６レンズＬ６の非球面のパラメータは表４−２に示される。
【００５１】
【表４−２】
2021516793.tif 000012
【００５２】
上記実施例１から実施例４の説明を踏まえ、本発明に係る車載用レンズ装置の光学パラメータを表５に示す。
【００５３】
表５には、前記各実施例に対応する光学特性が示される。光学特性は、前記車載カメラ用レンズ装置の焦点距離ｆ、レンズ装置の光学全長ＴＴＬ、絞りの数Ｆ＃及び視野角２θを含む。
【００５４】
【表５】
2021516793.tif 000013
【００５５】
本明細書に記載の「一実施例」、「いくつかの実施例」、「例」、「具体例」または「いくつかの例」等の用語は、この実施例または例に記載の具体的な特徴、構造、材料または特性が本発明の少なくとも一つの実施例または例に含まれることを意図している。本明細書において、前記用語に対する概略的な説明は、同じ実施例または例を指すわけではない。また、説明される具体的な特徴、構造、材料または特性は、任意の一つもしくは複数の実施例または例において適切な方式で組み合わせることができる。
【００５６】
以上の実施例は、本発明のいくつかの実施形態を説明のみを説明するものであり、比較的具体的で詳しく述べたが、本発明の特許請求の範囲を制限するものであると理解されるべきではない。当業者であれば、本発明の思想から逸脱しない限り、いくつかの変形または改良を行うことができ、これらの変形および改良はいずれも本発明の保護範囲に含まれる。したがって、本発明の保護範囲は添付する特許請求の範囲に準ずる。
【図１】
2021516793.tif 000015
【図２Ａ】
2021516793.tif 000016
【図２Ｂ】
2021516793.tif 000017
【図３】
2021516793.tif 000018
【図４Ａ】
2021516793.tif 000019
【図４Ｂ】
2021516793.tif 000020
【図５】
2021516793.tif 000021
【図６Ａ】
2021516793.tif 000022
【図６Ｂ】
2021516793.tif 000023
【図７】
2021516793.tif 000024
【図８Ａ】
2021516793.tif 000025
【図８Ｂ】
2021516793.tif 000026
【国際調査報告】
2021516793.tif 000027
2021516793.tif 000028
2021516793.tif 000029
2021516793.tif 000030
2021516793.tif 000031